Podtech/llm-jp-corpus-v4-ja_patent huggingface dataset:
(57)【要約】【課題】従来の洗浄作業は生コン排出後、洗浄汚水を受ける為ビニール袋や、ビニールホースに貯める桶を適当な位置に合わせ、汚水や小石の飛散に注意しながら洗い、その後、袋の場合は、ホッパーからタンク内に戻すという作業をしていました。又、ホース内に貯めて工場に持ち帰る方法は、走行中にホースが破れたり、排水するのにホースをかかえてフックを外したりなどの手間がかかっていました。【解決手段】生コンを排出後、シュートを格納状態にして、すぐ、洗浄ができるようにするため、格納状態に合わせて、壁体を設けた汚水受け流し器なるものを設置し、それをつたって流れる汚水を底部に排出口を設けて、その排出口にホースを付けた汚水タンクに貯めて、工場まで持ち帰り、排出作業は、このホースを下げるだけでできるようにしました。【選択図】図１
2010284961.tif 000002
【特許請求の範囲】
【請求項１】
生コン排出シュートを、格納した状態でせ洗浄作業ができる位置に設置するもので、外面を壁体にして出口の下部と両側面を外側に曲げた洗浄汚水の受け流し器。
【請求項２】
汚水を貯めるタンクの底部に排出口を設けその出口にビニール製ホースを取りつけ、受水口に網かごを設けた汚水タンク。
【発明の詳細な説明】
【技術分野】
【０００１】  本発明は生コン車の洗浄汚水処理に関する。
【背景の技術】
【０００２】  従来の洗浄汚水はビニール製の袋に入れて、車体の最上部にある、ホッパーからタンク内に戻していました。
【０００３】また、ビニールホースやタイヤチューブに入れて、工場まで持ち帰っていました。
【発明が解決しようする課題】
【０００４】  以上に述べた袋に入れてタンクのホッパー口まで持って上がる作る作業は非常に危険を伴い、時間がかかっていました。又、ホース等に貯めて持ち帰る方法は、途中でホースが破れたり、汁がこぼれたりしていました。そして、その汚水を排出するのに、一度抱えてフックを外す作業に手間がかかり、すぐに破れていました。
【０００５】  本発明は、上記の問題を解決しようとするものであり、洗浄作業が安全にでき、走行時も路上を汚す事なく工場まで素早く持ち帰り、排出作業も手軽にワンタッチで誰でもできるようにした発明です。
【課題を解するための手段】
【０００６】  本発明は、上記目的を達成するために、生コン排出終了後、すぐにシュートを格納状態にして、そのまま洗浄作業ができるように外面を高く壁体を有した汚水受け流し器なるものを、格納状態に合わせて設置し、この汚水を貯めるタンクには底部排出口を設け、この排出口にホースを取り付け、開閉作業をホースの上げ下げだけで誰でも手軽にできるようにしました。又、汚水受け流し器と汚水タンクの接続部から汚水が漏れないように流し器の出口を外側に曲げる事にし、又、走行中にタンク内の汚水を安定させるために、タンク上部に網かごを設ける事にしました。
【発明の効果】
【０００７】  上記のように本発明を利用すれば、力の弱い人でも、安全で手軽に素早く洗浄及び排出作業ができるので、生コン排出後の所要時間が削減できます。又、洗浄作業や走行時に、汚水や固結石を路上に落とす事なく、工場に帰れます。そして、この受け流し器と汚水タンクをプラスチック製で作れば、耐久性が有するので大幅な経費削減になります。
【発明を実施するために最良の形態】
【０００８】  汚水受け流し器と汚水タンクはＦＲＰ製にして、シュート格納状態に合わせて設置します。又、汚水排出用のホースと網かごは、市販されているものが使えるので、低価格で提供する事ができます。
【図面の簡単な説明】
【０００９】
【図１】本発明の実施形態を示す斜視図
【図２】本発明の設置方法を示す側面図
【図３】本発明の汚水流し器と網かごの拡大斜視図
【府号の説明】
【００１０】  ２、内側より高くして、汚水や小石などの飛散を防止する壁体です。
４、汚水の開閉をこのホースの上げ下げでします。
７、網かごは、走行時に汚水タンク内を安定させる事ができます。
１１、出口の外側に曲げて、汚水タンクの接続との保持に必要な曲げです。
【図１】
2010284961.tif 000003
【図２】
2010284961.tif 000004
【図３】
2010284961.tif 000005
(57)【要約】【課題】      単極発電機は一般的な電磁誘導を利用した発電機に比べ、逆トルクが無く小さな動力エネルギーで回転子を回す事が出来るが、出力電圧（Ｖ）は非常に小さいため、あまり実用化されていない。【解決手段】  回転する導体内を貫く磁場の方向を交互に反転させ、該筒状の導体内の磁場の方向は遠心方向３ａと求心方向３ｂを交互に成るようにする。該導体内の電気（電子）の流れがジグザク方向に流れるように該導体内に電気的通路を設けることにより、磁場内での電気（電子）の流れる距離を最長に出来、電圧（Ｖ）を高めることが出来る。【選択図】図１
2010284068.tif 000002
【特許請求の範囲】
【請求項１】
複数個の磁石を回転軸に平行に、筒状に配置し、各磁石の磁場方向をそれぞれ遠心方向、求心方向と交互になるように各磁石を並べ、該磁石の軸側、及び／又は周側に導体を固着し、固着された導体の中を貫通する磁場の方向を遠心方向、求心方向と交互になるようにし、各導体間は電気的絶縁するが、両端は交互に電気的に接合し、ジグザクに一本の電気的通路を設けた発電機。
【請求項２】
前記請求項の発電機であって、複数個の磁石の代わりに、一個の磁石であって、磁場の方向を遠心方向、求心方向と交互になるように着磁した磁石を用いた発電機。
【発明の詳細な説明】
【技術分野】
【０００１】    この発明は「ファラディの円盤」の原理に基づく発電機（ＦＤＧ）に関する。
【背景技術】
【０００２】    従来の電磁誘導による発電機は、回転子に対して常に逆トルクが発生しており、発電のために回転子を回すには大きな動力エネルギーを消耗することになる。それ故、この方法による発電は地球環境の負荷が大きい。それを解決するためには逆トルクを伴わない「ファラディの円盤」の原理に基づく発電機、所謂、単極発電機が良い。単極発電機は磁石と導体を接合し、同じ軸上を回転させて発電するため逆トルクは発生せず、回転子を回転させる動力エネルギーは小さくて済む。
【発明の概要】
【発明が解決しようとする課題】
【０００３】    しかし、単極発電機が一般に普及されない原因は、大きな電流（Ａ）を得ることは出来るが、電圧（Ｖ）は非常に小さいためによる。【０００４】    単極発電機では回転する導体（回転子）の軸側と周側で刷子（ブラシ）等で集電するが、これには特開２００１−２８６１１７や特開Ｈ０９−２３８４５８等で開示されているように、次の二つの問題が在る。一つは周側の導体の回転速度は軸側の速度よりも速く、周側の刷子（ブラシ）の磨耗破損が頻繁に起きる。もう一つは集電部が軸側と周側にあるため、一つの回転軸に複数の回転子を備えて直列接続させることが困難であるため、電圧を上げることが難しい。【０００５】    電圧を上げるためには、イ）導体を貫く磁場の磁力を高める、ロ）回転速度を速める、ハ）磁場内にある、導体内の電気（電子）の流れる距離を長くする。本発明は導体内に起電された電気（電子）の流れる距離を長くし、電圧（Ｖ）を高めることを課題としている。
【課題を解決するための手段】
【０００６】    特許請求項１で示すように、複数の磁石１を回転軸４に平行に、筒状に配置し、各磁石の磁場方向をそれぞれ遠心方向３ａ、求心方向３ｂになるように各磁石を交互に並べる。該磁石の軸側、及び／又は周側に導体２を固着し、固着された導体２の中を貫通する磁場の方向を遠心方向３ａ、求心方向３ｂと交互になるようにする。（図１及び２）【０００７】    該回転軸を水平にし、該磁石及び導体の回転子を回転させれば、「フレミングの右手」（図３）で示すように、各導体内に発生した電流（電子）５は回転軸に並行に左右二方向に交互に流れる。該導体内の電気（電子）が最長距離を流れるように、各導体間は電気的絶縁するが、両端は交互に電気的に接合し、一本の電気的通路を設ける。【０００８】    また、特許請求項２で示すように、回転軸を中心として半径方向に磁石、及び／又は導体を積層し、各層の導体を直列式に接続し、電気（電子）の流れる距離を長くし、電圧（Ｖ）を上げる。
【発明の効果】
【０００９】    以上のように、本発電機は「ファラディの円盤」の原理に基づいているが、所謂一般的な単極発電機（Ｈｏｍｏｐｏｌａｒ  Ｇｅｎｅｒａｔｏｒ）ではない。単極発電機は回転する導体を貫く磁場の方向は一方向だけであり、それ故単極発電機と言われ、導体を円盤で用いた場合、導体内に発生する電圧（Ｖ）は回転する導体の中心部と、その周辺部間だけで発生し、電気（電子）の流れる方向は、遠心方向か求心方向のどちらか一方向だけである。それ故、磁場内の電気（電子）の流れる距離が短く、電圧を上げることが出来ない。【００１０】    本発明の発電機は回転する導体内を貫く磁場の方向は交互に反転し、該筒状の導体内の磁場の方向は遠心方向３ａと求心方向３ｂを交互に成る事を特徴とする。それ故、該導体内の電気（電子）の流れがジグザク方向に流れるように該導体内に電気的通路を設けることにより、磁場内での電気（電子）の流れる距離を最長に出来、電圧（Ｖ）を高めることが出来る。【００１１】    以上のことから、本発明は小さな動力エネルギーで大きな電流（Ａ）と電圧（Ｖ）を得ることが出来る。因って、本発明はＣＯ２削減という地球環境負荷を削減するために貢献できる。
【図面の簡単な説明】
【００１２】
【図１】  本発電機を軸方向から見た概略図
【図２】  本発電機の斜視概略図
【図３】  磁場、運動方向、電流の流れ方向を示した「フレミングの右手」
【発明を実施するための形態】
【００１３】    先ず図１及び図２は特許請求項１を示している概念図で、図１は軸方向から見ている。半径方向に着磁された複数個の磁石１を、磁極が交互になるように、筒状に並べ（図２）、磁場の方向が交互に遠心方向（３ａ）、求心方向（３ｂ）になるように配置する。各磁石１の周側に導体２をそれぞれ固着し、該導体内２を通る磁場の方向を、遠心方向（３ａ）と求心方向（３ｂ）に交互になるようにする。
【００１４】    磁石１と導体２と一体になった回転子を、軸４を中心に回転させると、フレミングの右手（図３）が示すように、回転する導体内の磁場の方向３が交互に反転しているため、該導体内を流れる電気（電子）の流れ方向５は交互に反転する（図２）。
【００１５】    筒状に並べられた導体２の両端を交互に電気的に接続子６で接続すると、電気（電子）の流５れはジグザグ状に流れ（図２）、磁場内での電気（電子）の流れる距離が増大し、電圧（Ｖ）を上げることが出来きる。
【００１６】    更に、該回転子に、磁石、導体、磁石と積層することにより、更なる大きな磁力を得、又、各層の導体が直列式に繋げられ、導体内の電気（電子）の流れる距離が更に長くなり、より大きな電圧（Ｖ）を得ることが出来る。
【記号の説明】
【００１７】      １    磁石
２    導体
３ａ  磁場の方向（遠心方向）
３ｂ  磁場の方向（求心方向）
４    回転軸
５    電気の流れ方向
６    接続子
７ａ  端子（入）
７ｂ  端子（出）
【図１】
2010284068.tif 000003
【図２】
2010284068.tif 000004
【図３】
2010284068.tif 000005
(57)【要約】      （修正有）【課題】焼酎蒸留醪、雑穀粉末及び澱粉よりブドウ糖とアミノ酸液を製造する方法の提供。【解決手段】水分率８５〜９５重量％の焼酎蒸留醪に雑穀粉末と澱粉を混合して、水分率５０重量％以下とし、焼酎蒸留醪自体の酸と低濃度の酸で酸加水分解処理をし、分解液を濾過してブドウ糖を分離した後、残りをアルカリで中和し、次いで加圧圧搾濾過、低温低圧濃縮し、アミノ酸を分離精製してブドウ糖とアミノ酸液を同時に製造する。【選択図】図１
2010284091.tif 000002
【特許請求の範囲】
【請求項１】
焼酎蒸留醪に雑穀粉末及び澱粉を混合した原料からのブドウ糖とアミノ酸液の同時製造法
【発明の詳細な説明】
【技術分野】
【０００１】
焼酎蒸留醪は水分率（８５％重量〜９５％重量）を、雑穀粉末と混合して、水分率５０％重量以下にして、澱粉及び蛋白質を酸分解処理する事で、ブドウ糖並びにアミノ酸液を同時に製造できる技術を見いだした。
【背景技術】
【０００２】
ブドウ糖の製造においては、澱粉を酸で加水分解して製造する酸糖化方法と、酵素を利用する酵素（アミラーゼ）糖化法がある。
【０００３】
アミノ酸液を製造する方法では、穀類等（大豆・脱脂大豆粕・トウモロコシ等）を酸加水分解式、酵素分解式等がある。
原料の脱脂大豆粕はノルマルヘキサン（加工助剤）を利用している。
【０００４】
焼酎蒸留醪は、廃酸として処理が行われている、メタン発酵処理・乾燥堆肥処理・乾燥飼料製造等、また一部においては液状のままで豚の飼料として利用している。
焼酎蒸留醪は全面海洋投棄が禁止になったが、時限立法で陸上散布も許可が出ているが、悪臭公害が出ている。
【０００５】
蛋白質酸加水分解法で、発癌性物質３−ＭＣＰ（３クロロプロパンジオール）１−３−ＤＣＰ（１，３ジクロロプロパノール）減少方法として「アルカリ処理」が酸加水分解工程に追加されている。
【発明の開示】
【発明が解決しようとする課題】
【０００６】
解決しようとする課題は、ブドウ糖製造に関して原料にジャガイモ澱粉・甘藷澱粉・コーンスターチ等が利用されており、製造方法も酸糖化法・酵素（アミラーゼ）糖化法で製造されている。
アミノ酸液製造に関して脱脂大豆粕（ノルマンヘキサン及び活性白土）を利用した採油粕の原料で、酸加水分解法・酵素分解法で製造を行っている。
焼酎蒸留醪は、廃酸（焼却）として産業廃棄物処理が現在行われている場合と、メタン発酵処理・乾燥堆肥処理・乾燥飼料製造等に利用されている場合と、また一部においては液状のままで豚の飼料としている。また、焼酎蒸留醪の全面海洋投棄が禁止になり、時限立法で陸上散布許可が出ているが、散布後に悪臭公害が出ている。
蛋白質酸加水分解法で、発癌性物質３−ＭＣＰ（３クロロプロパンジオール）１−３−ＤＣＰ（１，３ジクロロプロパノール）減少方法として「アルカリ処理」が酸加水分解工程に追加されている。
【課題を解決するための手段】
【０００７】
ブドウ糖製造と、アミノ酸液製造を同時にできる方法として、穀類の澱粉を微生物分解して酵素糖化法で糖化し再度酵母でアルコールを製造し、アルコールを抽出後まだ残存しているブドウ糖（グルコース）１％〜３％と、窒素分が０．５〜３％あり、この焼酎蒸留醪の水分率（８５％重量〜９５％重量）利用して、焼酎蒸留醪に雑穀粉末及び澱粉を混合（含水率５０重量％以下）して、澱粉と蛋白質の割合を増加させて、焼酎蒸留醪自体（約ＰＨ３）の酸と、それに低濃度の酸で酸加水分解し濃縮して精製分離を行い、ブドウ糖（グルコース）とアミノ酸液を同時製造する。
【０００８】
本発明の第２は、焼酎蒸留醪内の水分率（含水率８５％重量〜９５％重量）を雑穀粉末及び澱粉を混合（含水率５０％重量以下）して、澱粉及び蛋白質の含有量を高めることにある。
【０００９】
本発明の第３は、焼酎蒸留醪自体の酸性度（約ＰＨ３）を利用して、蛋白質酸加水分解と澱粉の酸糖化法の利用が可能となることを見いだした。
【００１０】
本発明の第４は、蛋白質酸加水分解法で従来から懸念されている、３−ＭＣＰ（３クロロプロパンジオール）１−３−ＤＣＰ（１，３ジクロロプロパノール）を限りなく発生しないことを見いだした。
【発明の効果】
【００１１】
本発明は、以上説明したように構成されているので、従来焼酎蒸留醪は廃棄とされていたが、低濃度ブドウ糖を高濃度ブドウ糖液に製造して、高付加価値の製品とする効果がある。
【００１２】
焼酎蒸留醪自体の酸と低濃度酸を利用することで、旨味性が優れ、調味製品となる効果がある。
【００１３】
蛋白質酸加水分解で発癌性物質３−ＭＣＰ（３クロロプロパンジオール）１−３−ＤＣＰ（１，３ジクロロプロパノール）を限りなく発生しない効果がある。
【００１４】
脱脂大豆はノルマルヘキサン（有機溶剤）を利用して採油し、その搾り粕からできるアミノ酸液と比べて、危険物質を含まない安全なアミノ酸液製造ができる効果もある。
【００１５】
焼酎蒸留醪は水分率（８５％重量〜９５％重量）廃酸指定で、多額の処理費用が必要であるが、製品原料としての高度利用が可能となる効果がある。
【００１６】
焼酎蒸留醪蛋白からのアミノ酸含有液は、リジンが多く微量元素を含むために、家畜、ペット等の栄養価の高い給餌できる効果がある。
【００１７】
焼酎蒸留醪蛋白からのアミノ酸含有液は、植物に対しても葉面散布あるいは、施肥することにより、植物の栄養剤としても利用できる効果がある。
【発明を実施するための最良の形態】
【００１８】
本発明は、焼酎蒸留醪は殆どが水分（８８重量％〜９７重量％）で、再利用には多大のエネルギーを必要としていたが、商品価値の少ない雑穀の粉末を混合することにより、適宣に含水率を下げて、ブドウ糖並びにアミノ酸液の原料として再生して、低濃度塩酸で低温酸加水分解をし、苛性ソーダ等で穏やかな中和を行い、濾過をして、再度、低温低圧加熱濃縮をして分離精製し、高濃度のブドウ糖液と高濃度アミノ酸液を製造できる。
【図面の簡単な説明】
【００１９】
【図１】本発明の実施例を示すフローチャートである。
【００２０】
本発明の1番目の工程は、焼酎蒸留醪に雑穀粉末及び澱粉を混合した原料からの、ブドウ糖とアミノ酸液の同時製造法は、概略として８工程に分かれる。
１番目の工程においては、焼酎蒸留醪（含水分率８５％重量〜９５％重量）に雑穀粉末及び澱粉を混合して、含水分率５０％重量以下にする。
【００２１】
２番目の工程で、酸加水分解はアミノ酸の原料となる蛋白質とブドウ糖の原料となる澱粉の質量の割合をもって低温加熱する工程である。
澱粉酸分解液を濾過精製してブドウ糖のみ取り出す工程である
【００２２】
３番目の工程では、ブドウ糖のみ取り出した残りを苛性ソーダ等の、アルカリ性物質の投入によって、ＰＨ４〜ＰＨ６と適宜となるように中和する工程である。
【００２３】
４番目の工程では、適宜に中和された原料液の液体部分と粘土状固形物を分離する加圧圧搾濾過である。
【００２４】
５番目の工程では、液体部分の低圧低温加熱濃縮工程である。
【００２５】
６番目の工程では、濃縮液をイオン交換樹脂等利用でアミノ酸液を分離する工程である。
【００２６】
７番目の工程では、ブドウ糖の精製工程である。
【００２７】
８番目の工程では、アミノ酸液の精製工程である。
【図１】
2010284091.tif 000003
(57)【要約】      （修正有）【課題】全国的に一様な形状の鯛焼き様の菓子を、地域的な特徴を連想させる形状として焼成し提供する。【解決手段】小麦粉を主な材料として焼成した鯛焼き様の菓子を、近年観光地としての人気も高まってきた魚市場のシンボルといえる鮪の形に焼成し、みやげ物としての価値を持たせ、夏場における販売消費量の極端な落ち込みをなくし、観光ＰＲおよび地域振興に寄与する食材とする。【選択図】なし【特許請求の範囲】
【請求項１】
小麦粉を主な材料とした生地を鮪の形に焼成した鯛焼き様の菓子。
【発明の詳細な説明】
【技術分野】
【０００１】  本発明は、小麦粉を主な材料として鮪の形に焼成した鯛焼き様の菓子に関するものである。
【背景技術】
【０００２】  従来、小麦粉を主な材料として焼成された鯛焼き様の菓子は、見た目は全国的に一様で、地域的な特徴を意匠に取り入れたものは無く、土産物として販売されているものは無かった。
【先行技術文献】
【特許文献】
【０００３】  特許公開平１１−１３７１７７
【発明の概要】
【発明が解決しようとする課題】
【０００４】  そのため消費者の関心も薄れ、また季節による販売消費量も大きく異なり、とくに夏場における販売消費量は極端に落ちていた。本考案は、以上の欠点を解決するためになされたものである。
【課題を解決するための手段】
【０００５】  本発明は、小麦粉を主な材料として焼成した鯛焼き様の菓子を、近年観光地としての人気も高まってきた魚市場のシンボルといえる鮪の形に焼成することによって解決する。
【発明の効果】
【０００６】  みやげ物としての価値を持たせ、夏場における販売消費量の極端な落ち込みをなくせる。また、観光ＰＲ的な効果も期待でき、ひいては地域振興にも効果が期待できるものである。
(57)【要約】【課題】鉢植え植物に対して長期に亘る自動潅水を省エネ的にも、デザイン美観上の問題もなく可能とすることは不可能だった。本発明は、水タンクそのものを鉢カバーとして機能させる自動潅水鉢カバーを提供する。【解決手段】止水弁ネジキャップを付けた水タンクを複数個使用して連結円形状に配置し鉢カバーとする。【選択図】図１
2010284146.tif 000002
【特許請求の範囲】
【請求項１】
同一形状の水タンクを複数個円形状に連ねて鉢カバーを形成し、これら複数個の水タンクを対応する受け皿内に並べ、その中央部分に一般市販の円形植木鉢を設置できる貯水スペースを設けた自動潅水鉢カバー。
【発明の詳細な説明】
【技術分野】
【０００１】  本発明は主に円形プラスチック製の植木鉢に植えられた植物への自動潅水装置に関するものである。
【背景技術】
【０００２】  従来、自動潅水は、植物を、底部に貯水槽を有した特殊な植木鉢に植え込むか、或いは、電動ポンプを利用した給水パイプ方式のものに限られていた。
【発明の開示】
【発明が解決しようとする課題】
【０００３】  長期に亘って自動潅水するためには植木鉢底部の貯水槽を大きくせねばならず、デザイン的にも不釣合いとなって大容量のものは存在しなかった。また、電動給水パイプ方式のものは省エネ的でない上に縦横に張り巡らせるパイプが目障りであり美観上の問題があった。  本発明は、以上の問題点を解決するためになされたものである。
【課題を解決するための手段】
【０００４】  同一形状の水タンクを複数個円形状に連ねて鉢カバーを形成し、これら複数個の水タンクを対応する受け皿内に並べ、その中央部分に一般市販の円形植木鉢を設置できる貯水スペースを設けた自動潅水鉢カバー。以上の構成よりなる自動潅水鉢カバー。
【発明の効果】
【０００５】  止水弁ネジキャップ付き水タンクを複数個使用して植木鉢の周囲空間を縦方向に利用し鉢カバーとしても機能させることにより従来解決できなかった省エネ的な長期自動潅水と美観上の問題を解決することができる。
本発明の使用は屋内は勿論、受け皿の側面に排水孔を設けることにより屋外にても可能である。また、植木鉢の周囲を水タンクで囲うことにより、植木鉢内の土壌が真夏の強烈な太陽熱に熱せられて植物の根が傷むことを防ぐ効果がある。
【発明を実施するための最良の形態】
【０００６】  以下、本発明の実施の形態を説明する。
（イ）水タンク（１）の形状は、一般的な円形プラスチック植木鉢の周囲を、複数個連結    して隙間なく円状に囲うことのできるものとする。
（ロ）水タンク（１）の形状は、上辺が下辺より大きい逆台形状とし、自動潅水鉢カバー    として配置された状態から個別に取り出すことが容易である。
（ハ）水タンク（１）の上部内側に、運搬用の凹部（３）を設ける。
（ニ）水タンク（１）の底面に水を入れるための開口部を設け、市販の家庭用電気加湿器    に広く採用されていると同じ機構の止水弁ネジキャップ（４）を取り付ける。
（ホ）水タンク（１）の外周面は鉢カバーとしての機能を満足させるために美麗に塗装す    ることも可能である。塗装してない内側面および連結面を通して残水量を確認するこ    とができる。
（ヘ）受け皿（２）の形状は複数個の水タンク（１）の底部を連結円状に隙間なく収納で    きるものとする。
（ト）受け皿（２）には、複数個の水タンク（１）の止水弁ネジキャップ（４）が安定し    て収納可能な止水弁ネジキャップ収納スポット（６）を設ける。
（チ）受け皿（２）には、水タンク（１）から止水弁ネジキャップ収納スポットを経て流    れ出た水が貯水される貯水スペース（５）を設ける。この貯水スペース（５）は、植    木鉢の設置スペースとしても使用される。
本発明は以上のような構造である。
本発明を使用するときは、受け皿（２）の貯水スペース（植木鉢設置スペース）（５）に、鉢底部に導水物質を敷き詰めた、或いは導水紐を取り付けた鉢植え植物を設置する。
水タンク（１）の止水弁ネジキャップ（４）を外して水を入れ、止水弁ネジキャップ（４）をしっかり閉めてから水タンクを止水弁ネジキャップ収納スポット（６）にセットする。
セットされた水タンク（１）から流れ出た水は貯水スペース（５）に溜まり始め、止水弁ネジキャップ機能によりあらかじめ定められた、水タンク（１）の底面以下の水位に  達すると水タンク（１）からの水の排出は自動的にストップします。
毛細管現象により水が鉢土中に吸い上げられて貯水スペース（５）内の水位が下がれば止水弁ネジキャップ（４）の機能が働き水タンク（１）から水が排出されて定められた水位が保持されます。この繰り返しにより水タンク（１）各々の全ての水が消費されてゆきます。
水タンク（１）への水補給は、水タンク（１）を個別に受け皿（２）より引き抜いて行います。水の補給時期は、水タンク（１）が空になってからでも、或いは水が残っている状態でも構いません。
【図面の簡単な説明】
【０００７】
【図１】本発明の斜視図
【図２】本発明の構成部品である水タンクの斜視図
【図３】本発明の構成部品である受け皿の斜視図
【符号の説明】
【０００８】  （１）水タンク、
（２）受け皿、
（３）運搬用凹部、
（４）止水弁ネジキャップ、
（５）貯水スペース（植木鉢設置スペース）、
（６）止水弁ネジキャップ収納スポット
【図１】
2010284146.tif 000003
【図２】
2010284146.tif 000004
【図３】
2010284146.tif 000005
(57)【要約】【課題】農業用の断熱ハウスは、ハウスの表面に断熱材を塗布、噴霧によってハウス内の温度を効果的に抑制できる農業ハウスを提供することを目的とする。【解決手段】上記のように本発明の農業用の断熱ハウスは、農業作物の育成、促進、保護等を効果的に実施し、安価で安全性と安心が得られる多機能、活用性をも考慮した断熱材。【特許請求の範囲】
【請求項１】
農業用の断熱ハウスは、断熱コーテング材によって、構築内部、外部とも断熱ハウスができる。
【請求項２】
請求項１を塗布によってなる農業用の断熱ハウス。
【請求項３】
断熱材を噴霧器等によってなることを特徴とした農業用の断熱ハウス。
【請求項４】
断熱材仕様を請求項２から３を簡単に農業用の断熱ハウスに施工できることを特徴とする。
【発明の詳細な説明】
【技術分野】
【０００１】本発明は、農業用のハウス内部温度を好適な用途に関する。
【背景技術】
【０００２】従来の農業用ハウスの内部温度管理は、ビニールの空間調整の工夫対応であったため、強烈な日においては、作物の日焼け症、葉焼け症から作物の品質低下を招いている。【０００３】本発明は、上記の改善をはかることから農業用ハウスの表面に断熱材を塗布、噴霧によってハウス内の温度を効果的に抑制する。
【発明の開示】
【発明が解決しようとする課題】
【０００４】本発明は、農業ハウスの作物の育成、保護に好適な環境と安全性、安心で安価な緊ハウスを提供することを目的とする。
【課題を解決するための手段】
【０００５】本発明は上記目的解決対応を多目的用に達成するために、ハウスの表面に断熱材を塗布、散布形成にすることにより作物の成長、促進効果、管理手法を提供することを目的とする。
【発明の効果】
【０００６】ハウス内の断熱効果によって作物の保護、育成ができる。【０００７】本発明での断熱材は、微粒子の成形物であり、塗布、噴霧の際にムラが生じても断熱効果が得られ内部温度調整に適している。【０００８】ハウスの膜を損傷しない断熱材、施工工法で被膜を形成することができた。【０００９】ハウスには、上記機能を安価で備え付け、しかも、作業能率を考慮した。
【発明を実施するための最良の形態】
【００１０】本発明の実施形態は多目的に設計活用できることを特徴とする。【００１１】断熱材を既設のハウス、又は設置前のビニールに塗布、噴霧し用いることができるハウスにしたことを特徴とする。【００１２】太陽熱を断熱することができ長期間耐用ができる。しかも、安価で安全、安心なハウスの構造にした。ことを特徴とする。【００１３】本発明の断熱ハウスは、農業ハウスの他保存物、非常用品の保管場所としての機能を特徴とする。【００１４】ハウス構造は、立地条件、形状、強度、素材等実態の状況把握によっての対応策を考慮した。ことを特徴とする。
【産業上の利用可能性】
【００１５】本発明の農業用断熱ハウスは、常時使用でき、非常時においては移動可能とした特段機能発揮が出来る。【００１６】本発明の断熱材は、軽量を特徴とし、農業用ハウス、展示場、スポーツ関連設置、等様々な活用ができ、しかも、安価で安心、安全な断熱ハウスを提供し、産業の育成に貢献できる。
(57)【要約】【課題】料理が運ばれてくるまで清潔安全であってほしい。配膳中の発声も気にならない。【解決手段】顎に平板体を装着すれば配膳中の料理物に唾き呼気を遮蔽する。【選択図】図２
2010284468.tif 000002
【特許請求の範囲】
【請求項１】
平板な翼の形状をしたものを顎に当てがい使用する、料理用唾き呼気受け具。
【発明の詳細な説明】
【技術分野】
【０００１】鼻と口の上方を開方したマスク。
【背景技術】
【０００２】鼻と口の上方を開方したので会話はしやすい。
【発明の開示】
【発明が解決しようとする課題】
【０００３】特に飲食店の料理物に関係者の会話時の唾きの飛沫、呼気の触れを防止。
【課題を解決するための手段】
【０００４】調理人、ウェートレスの料理の扱いが気になっておりましたが、唾き呼気受け具の装着により清潔感が高まる。
【発明の効果】
【０００５】装着時も鼻、口が見えるのでお客様に失礼を気遣うことはない。
【実施例】
【０００６】平板体を顎に当て、両端を耳に掛ける。
【図面の簡単な説明】
【０００７】
【図１】平面図。
【図２】装着時のイラスト。
【符号の説明】
【０００８】１，本体
２，輪ゴム
【図１】
2010284468.tif 000003
【図２】
2010284468.tif 000004
(57)【要約】【課題】茹で時間の異なる３種類の食材を、一つの鍋で同時に茹でることのできる大中小の組み合わせザルを提供する。【解決手段】本発明のザルの形状は、従来の円形ではなく、中心角９０度の扇形と、その一辺を直径とする半円が結合した略勾玉形状とする。本発明のザルは、上面を開口した有底状であり、側面は直線状の内壁、曲線状の外壁、丸みをおびた扇形の先端部、半円状の後端部により形成されている。この形状のザルは大中小と３つあり内側に重ねて収納できる。【選択図】図２
2010284466.tif 000002
【特許請求の範囲】
【請求項１】
大ザル（Ａ）は中心角９０度の扇形の一辺と、それを直径とする半円が結合した略勾玉形状で、上面を開口した有底状であり、側壁は直線状の内壁、曲線状の外壁、丸みをおびた扇形の先端部、半円状の後端部により形成され、
中ザル（Ｂ）は大ザル（Ａ）と同様の形状であるが、大ザル（Ａ）よりもひとまわり小さく、重ねると大ザル（Ａ）の内側におさまり、
小ザル（Ｃ）は大ザル（Ａ）と同様の形状であるが、中ザル（Ｂ）よりもひとまわり小さく、重ねると中ザル（Ｂ）の内側におさまることを特徴とする大中小の組み合わせ茹でザル。
【発明の詳細な説明】
【技術分野】
【０００１】  本発明は大中小の茹でザルを一度に鍋にいれて使うことにより、茹で時間の異なる３種類の食材を、同時に１つの鍋で茹でることが出来る大中小の組み合わせ茹でザルである。
【背景技術】
【０００２】  従来、茹で時間の異なる３種類の食材を一つの鍋で茹でる場合、食材を一つずつ入れては出すという作業を繰り返していた。例えばもやし・ブロッコリー・人参を茹でる場合はもやしを２分ゆでて取り出し、次にブロッコリーをいれて３分ゆでて出し、さらに人参をいれて１３分ゆでるので、合計１８分の茹で時間を要する。
なお、２つのザルで、鍋を仕切って茹で野菜を作ることができる鍋ザルが知られている。
【先行技術文献】
【０００３】
【特許文献１】特開平０９−２０６２１７号公報
【発明の概要】
【発明が解決しようとする課題】
【０００４】  従来、一つの鍋を使って異なる３種類の食材を茹でる場合、通常一つ一つの食材の茹で時間が違うため、順番に食材を一つずつ入れては出しながら、茹でていくことになり、茹で時間は三種類の合計時間が必要である。
また、茹で時間を短縮するためには、３つの別々の鍋を使って茹でなければならず、湯も、燃料も、一つの鍋を使う場合の３倍必要である。
【課題を解決するための手段】
【０００５】  本発明は同形の大中小の３つの茹でザルである。その形状は、従来の円形ではなく、中心角９０度の扇形と、その一辺を直径とする半円が結合した、略勾玉形状である。
本発明のザルは上面を開口した有底状であり、側壁は直線状の内壁、曲線状の外壁丸みをおびた扇形の先端部、半円状の後端部により形成されている。
上記で述べた形状のザルは、大・中・小の大きさ違いで３つあり、内側に重ねて、収納できる。
【発明の効果】
【０００６】  本発明により、３つのザルが、同時に一つの鍋に納まるため、茹で時間の違う３種類の食材を、最短時間で、また一つの鍋でゆでることが可能になる。
これによって、調理時間が短縮されるばかりか、茹でるために使用する燃料が節約できる。
さらに、一つの鍋で調理できるので、湯の節約になり、鍋を洗う手間も最低限におさえられる。
また、３つのザルが、大中小と大きさが異なるため、重ねて収納でき場所をとらない。
【図面の簡単な説明】
【０００７】
【図１】本発明の大、中、小、の３つのザルの斜視図
【図２】本発明のザルの斜視図
【図３】本発明の使用状態を示す平面図
【図４】本発明の使用状態を示す平面図
【発明を実施するための形態】
【０００８】  以下、本発明の実施の形態を説明する。
本発明のザルの形状は以下の通りである。
大ザル（Ａ）中心角９０度（α）の扇形（ａ）の一辺と、それを直径とする半円（ｂ                ）が扇型の一辺である仮想線（３）の部分で結合した形状である。
なお、大ザル（Ａ）は上面を開口した有底状であり、側壁は直線状の内                壁（４）、曲線状の外壁（５）、丸みをおびた扇形（ａ）の先端部（１                ）、そして半円（ｂ）状の後端部により形成される。
中ザル（Ｂ）大ザル（Ａ）と同じ形状であるが、大ザルよりもひとまわり小さく、重                ねると大ザル（Ａ）の内側におさまる。
小ザル（Ｃ）大ザル（Ａ）と同じ形状であるが、中ザル（Ｂ）よりもひとまわり小さ                く、重ねると中ザル（Ｂ）の内側におさまる。
本発明は以上のような構造である。
本発明を使用する時は、なべの中に、大中小の三つのザルを、ザルの曲線状の外壁（５）がなべ（６）の内壁に沿うようにして配置する。このように配置することにより、３つのザルが無理なく１つの鍋におさまる。また、小さめのなべであれば、中小２つのザルを同様に配置する。
【符号の説明】
【０００９】（Ａ）大ザル  （Ｂ）中ザル  （Ｃ）小ザル
（ａ）扇形  （ｂ）半円形
（１）先端部  （２）後端部  （３）仮想線  （４）内壁  （５）外壁  （６）鍋
（α）中心角
【図１】
2010284466.tif 000003
【図２】
2010284466.tif 000004
【図３】
2010284466.tif 000005
【図４】
2010284466.tif 000006
(57)【要約】      （修正有）【課題】立った姿勢のまま、ヘルスメーターボックスより体重計を出し入れできるようにする。【解決手段】スライド式台車４の上に体重計３を載せヘルスメーターボックス２０から電動で出し入れを可能にする。体重計３を使用する際、台車４前面部に設けられたパネルスイッチをつま先で触れることにより電動でヘルスメーター２０より体重計３を取り出すことが出来る。同じく収納する際もパネルスイッチをつま先で触れることによりヘルスメーターボックス２０に自動で収納される。【選択図】図２
2010284467.tif 000002
【特許請求の範囲】
【請求項１】
洗面台下部設けられたヘルスメーターボックスに体重計を自動で出し入れ可能な収納装置
【請求項２】
電動で操作可能な請求項１記載の収納装置
【請求項３】
非電動で操作可能な請求項１記載の収納装置
【請求項４】
乾電池また充電式電源で操作可能な請求項１記載の収納装置
【請求項５】
１００Ｖ電源で操作可能な請求項１記載の収納装置
【請求項６】
リモコンで操作可能な請求項１記載の収納装置
【請求項７】
洗面台と一体化可能な請求項１記載の収納装置
【請求項８】
体重計と一体化可能な請求項１記載の収納装置
【発明の詳細な説明】
【技術分野】
【０００１】本発明は洗面台下部に設けられたヘルスメーターボックス内に自動で体重計を出し入れ可能な収納装置に関する。
【背景技術】
【０００２】近年、集合住宅（マンション等）の洗面台下部にヘルスメーターボックス（体重計収納スペース）が設けられ床面に接している為、腰を屈めての出し入れが困難であった。
【発明の開示】
【発明が解決しようとする課題】
【０００３】近年、集合住宅（マンション等）洗面台下部にデットスペースを利用した体重計収納スペース設けられる様になったが床面に接している為、腰を屈めて体重計を出し入れする必要があった。高齢者や腰の不自由な人にとって負担が大きい。
【課題を解決するための手段】
【０００４】本発明はスライド式台車の上に体重計を載せヘルスメーターボックスから電動で出し入れを可能する。
【発明の効果】
【０００５】本発明を使用するとリモコン又は台車前面部に設けられたスイッチを立った姿勢のまま、つま先で触れる事により電動でヘルスメーターボックスより体重計の出し入れが可能になり腰を屈めることなく体重を測ることが出来る。
【発明を実施するための最良の形態】
【０００６】以下、本発明の実施の形態を図１〜図４に基づいて説明する。【０００７】収納装置本体は駆動装置（１４，１６，１７）の取り付けられた台車本体（４）中央ケース（６）バッテリーボックス（５）から成り、それぞれは三段式スライドレール（１８）で接続されている。台車前面部のパネルスイッチ（７）につま先で触れることにより駆動装置（１４，１６，１７）が作動し体重計（３）を載せた状態で５０ｃｍほど台車本体（４）が前進して来る。収納の際も再度パネルスイッチ（７）につま先で触れることにより収納される。パネルスイッチ（７）を全面にすることにより取り出し時、障害物に接触した際、速やかに収納を開始する。また、ギアボックス（１７）上部にダンパー（１５）を取り付けることにより体重を測る際、台車本体（４）が５ｍｍ程度、沈み台車下部のノンスリップ（１３）が床面（２）に接地し転倒を防ぐことが出来る。
【実施例】
【０００８】台車本体（４）の上に体重計（３）を載せ洗面台下部のヘルスメーターボックス（２０）に設置し、体重計（３）を使用する際、台車前面部に設けられたパネルスイッチ（７）につま先で触れることにより電動でヘルスメーターボックス（２０）より体重計（３）を取り出すことが出来る。同じく収納する際もパネルスイッチ（７）につま先で触れることによりヘルスメーターボックス（２０）に自動で収納される。
【図面の簡単な説明】
【０００９】
【図１】洗面台下、収納装置の設置時、断面図
【図２】洗面台下、取り出し時の断面図
【図３】収納装置の上部断面図
【図４】収納装置の側部、断面図
【符号の説明】
【００１０】  １、洗面台                              １２、配線
２、床面                                １３、ノンスリップ
３、体重計                              １４、駆動輪
４、台車本体                            １５、ダンパー
５、バッテリーケース                    １６、モーター
６、中央ケース                          １７、ギアボックス
７、パネルスイッチ                      １８、三段スライドレール
８、メインスイッチ                      １９、バッテリー
９、取り出し停止スイッチ                ２０、ヘルスメーターボックス
１０、収納停止スイッチ                      （体重計収納スペース）
１１、配線巻取り装置                    （１４，１６，１７）駆動装置
【図１】
2010284467.tif 000003
【図２】
2010284467.tif 000004
【図３】
2010284467.tif 000005
【手続補正書】
【提出日】平成21年8月14日(2009.8.14)
【手続補正１】
【補正対象書類名】図面
【補正対象項目名】図３
【補正方法】変更
【補正の内容】
【図３】
2010284467.tif 000006
【手続補正２】
【補正対象書類名】図面
【補正対象項目名】図４
【補正方法】追加
【補正の内容】
【図４】
2010284467.tif 000007
(57)【要約】      （修正有）【課題】使用方法が簡単で容易に外れることのない、安全性と快適性をあわせもつ車椅子用シートベルトを提供する。【解決手段】座布団カバーにシートベルトを組み合わせた。なお、座布団カバーには身体固定部分に加え、座布団を車椅子に固定するベルトもつけた。また、シートベルトの固定はバックル式１とし、バックルにはロック４つきのものを使用することとした。さらに、シートベルト非着用時にはシートベルトを収納できるよう、カバーにポケットをつけた。シートベルトの腹部固定部にウレタンシートを挟むことで、腹部圧迫による不快感を解消させた。【選択図】図１
2010284470.tif 000002
【特許請求の範囲】
【請求項１】
座布団カバーにシートベルトを組み合わせた車椅子用シートベルト。
【請求項２】
前記座布団カバーに、シートベルト収納ポケットを付属した。
【請求項３】
前記シートベルトの固定はバックル式とし、必要に応じてロックつきのバックルをつけた。
【請求項４】
シートベルトの腹当て部分にクッション性を加えた。
【発明の詳細な説明】
【技術分野】
【０００１】この発明は、車椅子の転落防止用シートベルトに関する（介護用品）。
【背景技術】
【０００２】従来の車椅子は、車椅子本体にマジックテープ固定の簡易ベルトが設置されている。
【発明の開示】
【発明が解決しようとする課題】
【０００３】車椅子を使用する際に、車椅子に付属のマジックテープ式のベルトだけでは、容易に外れてしまい、自己にて体位の補正・支持を行なうことができない人にとっては操作中に転落するおそれがある。また、危険予測能力の低下した人が使用する場合には、自己にてベルトを容易にはずせてしまうため、転落および転倒のおそれがある。
そこで、使用方法が簡単で容易に外れることのない、安全性と快適性をあわせもつ車椅子用シートベルトの開発が課題である。
【課題を解決するための手段】
【０００４】前記の課題を解決するために、第１発明は、座布団カバーにシートベルトを組み合わせた。なお、座布団カバーには身体固定部分に加え、座布団を車椅子に固定するベルトもつけた。また、第２発明はシートベルトの固定はバックル式とし、バックルにはロックつきのものを使用することとした。さらに、第３発明はシートベルト非着用時にはシートベルトを収納できるよう、カバーにポケットをつけた。第４発明は、シートベルトの腹部固定部にウレタンシートを挟むことで、腹部圧迫による不快感を解消させた。
【発明の効果】
【０００５】第１発明または第２発明、第３発明によれば、車椅子乗車時にベルト外れによる転落・転倒およびベルトの自己除去による転落・転倒が予防できるようになった。
【発明を実施するための最良の形態】
【０００６】車椅子着座前にセッティングする。発明品（以下着座シートと記す）を車椅子座面に乗せ、着座シート裏面の十字型のベルトを車椅子座面の裏側にバックル固定する。この際、バックル及びベルトが車椅子座面のサイズに合うように調整する。次に対象者を車椅子に乗せ、胴囲部分にシートベルトを装着し、車椅子背面でバックル固定する。また、この際にも軽度のゆとりをもたせ、ベルトが固定できるようにベルトサイズを調整する。その後、背部バックルのロックをかける。
車椅子より降りるときは、背部バックルのロックを解除して、腹当てつきのベルトをポケットに収納し、対象者を他へ移乗する。
【実施例】
【０００７】高齢者認知症などの危険予知能力の低下と姿勢保持能力の低下した人が、車椅子に移乗し、テーブルに座って食事を取る際などに使用する。
「他の実施形態」
シートベルトの自己除去などの行為がない人の場合には、背部バックルはロックつきでないものを使用するか、ロック部分をテープなどで固定し、使用しないものとする。
【図面の簡単な説明】
【０００８】
【図１】▲１▼▲２▼使用対象者の腹囲（体型）に合わせて、縦・横ともにベルトサイズの調整ができる。▲３▼腹当て部は、腹部の圧迫感を解消するために、２枚布構造の間にウレタンシートを挟んでいる。▲４▼ベルト両端は、カチンとはめ込む式のバックル使用。詳細は図２にて説明する。
【図２】▲１▼図１のバックル部分の拡大図。バックルははめ込み固定式バックル。２部品からなるバックルを接続し、中央部分のダイヤル式ロックを解除ナンバーから、他のナンバーへ変更することで、ロックがかかる。▲２▼はずす時は、再度解除ナンバーに合わせ、ダイヤル両横にあるつまみをおす。ダイヤルは、回転式ダイヤルである。市販のスーツケース用ベルトのバックルを使用した。
【図３】▲１▼ベルトは車椅子の大きさに合わせて使用できるよう、サイズ調整用バックルをつけている。▲２▼ベルト先端のバックルは図２のバックルと違って、ロックのないもので、２部品からなり、両方を接続することで固定できるものである。▲３▼左右、上下のベルトをそれぞれ十字になるように車椅子座面裏側で固定し、使用する。
【図４】ポケットつき座布団カバーを、ポケットが前面に来るように、図１部分を接続した、発明品の全容である。ポケットは図１部分をはずす時に、収納できるようにしたものである。
【図１】
2010284470.tif 000003
【図２】
2010284470.tif 000004
【図３】
2010284470.tif 000005
【図４】
2010284470.tif 000006
(57)【要約】【課題】ジョイスティックをもつ電動車椅子において、ジョイスティック操作レバーのおける操作ミスを検知し、暴走を防ぐことができるようにした装置を提供する。【解決手段】ジョイスティック操作レバーの異常な動きを検知して電動車椅子の暴走を止める。【選択図】図１
2010284469.tif 000002
【特許請求の範囲】
【請求項１】
電動車椅子において、ジョイスティックに付加して使用する操作レバーと自己保持回路をもつシステム
【請求項２】
電動車椅子において、ジョイスティック操作レバーの傾きを電気的に検出して自己保持回路を遮断するシステム
【発明の詳細な説明】
【技術分野】
【０００１】本発明は、電動車椅子の安全装置に関するものである。
【背景技術】
【０００２】  超高齢者社会を向かえつつある現在、高齢者が生活し易い環境を整えることが重要な社会的課題となっている。高齢者の中でも歩行等の運動機能も問題ない老人もいるが、歩行が困難で、近距離でも歩行して移動することが困難な高齢者も数多く存在する。また、最近、例えば歩行等の運動機能に障害がある者へのバリアフリー環境整備に向けた社会機運が高まっている。かかる状況にあって、高齢者あるいは歩行障害者用として車椅子がよく使用されるが、電動車椅子は、概して高価でありなかなか普及しない現状である。それ以外の普及しない理由としては、高齢者あるいは歩行障害者にとって、安全に運転するための操作ができない、安全機能が不十分である等のことがある。【０００３】  安全に運転できる電動車椅子、あるいは安全対策を施した電動車椅子の従来例としては、対物センサにより障害物を検知することによって制御するものが開発されている（特許文献１〜３参照）。しかし、このような対物センサは、高価であり、運転操作をさらに複雑にするなどの問題がある。このため、高齢者あるいは歩行障害者用として電動車椅子の汎用機への実用化を妨げている。
【先行技術文献】
【特許文献】
【０００４】
【特許文献１】特開２００６−３３４０８２号公報
【特許文献２】特開２００５−２９３１５４号公報
【特許文献３】特開２００４−３２１７２２号公報
【発明の概要】
【発明が解決しようとする課題】
【０００５】  本発明は、上記問題に鑑みなされたものであり、その目的は、簡易な構成であることから汎用機として実用化でき、また、安全に運転するための操作ができ、さらに、安全機能が必要かつ十分に作働する、高齢者あるいは歩行障害者用の電動車椅子制御装置を提供することにある。
【課題を解決するための手段】
【０００６】  本発明者らは、上記課題を鋭意検討した結果、それら事故の原因の一つは、運転者が運転中に恐怖感を抱いた際に、誤って車椅子を更に加速する方向に操作してしまうためであるという結論を得た。その一つの解決法と誤動作を防止して安全に停止させる補助装置の開発が望まれていた。【０００７】特にジョイスティックを用いて操作する電動車椅子では、本来の人間が考える移動への脳の思考形態とジョイスティックの動かせ方とが必ずしも一致するわけではなく、緊急時において間違った操作をして暴走し事故を誘発することが考えられる。
【発明の概要】
【発明が解決しようとする課題】
【０００８】本発明は、ジョイスティックを用いた電動車椅子における緊急時の安全を図る装置に関するものである。【０００９】ジョイスティックの操作において、運転者が何らかの恐怖を感じた際に、行う誤った操作として、極度の緊張により、ジョイスティック操作レバーを握りしめたままで動かせなくなり、制止の位置まで持っていくことができない現象が発生する。また、ジョイスティック操作レバーを更に前方に倒してしまい、フルスロットルの状態にしたままで動かせなくなり、そのまま衝突に至ることが実際に起きている。そのような状態を検知し、自動的
【実施例２】
【００１７】ジョイスティック５はその操作出力として、操作レバー７の倒した角度に応じて、電圧を出力できるようになっている。いま、操作レバー７がある一定角度以上に倒され、フルスロットル状態に近い状態になった時には、図３の構成図に示すように自己保持回路４を遮断し、電動車椅子が制止するように出来る。再び電動車椅子を作動させるためには、別の起動スイッチ３をオンする。
【発明の効果】
【００１８】本発明によって、ジョイスティックを持つ電動車椅子において、運転者の極度の緊張による操作ミスでの暴走を防ぎ、安全に寄与することができる。
【産業上の利用可能性】
【００１９】本発明によれば、電動車椅子において、誤動作による暴走事故を防ぐことができる。また既存の電動車椅子に付加することにより、すべての電動車椅子の安全性を安価に確保することが可能になる。
【図面の簡単な説明】
【００２０】
【図１】ジョイスティックを持つ電動車椅子に付加するジョイスティック操作レバーの形態（実施例１）
【図２】ジョイスティックを持つ電動車椅子に付加する安全装置の構成１
【図３】ジョイスティックを持つ電動車椅子に付加する安全装置の構成２
【図１】
2010284469.tif 000003
【図２】
2010284469.tif 000004
【図３】
2010284469.tif 000005